(57)【特許請求の範囲】
【請求項１】
ある状態を典型的に表した典型画像情報を記憶した典型画像ファイルと、
前記典型画像ファイルに記憶された典型画像情報に関する付帯情報を記憶した付帯情報ファイルと、
前記典型画像ファイルの典型画像情報に前記付帯情報ファイルの付帯情報を電子透かしにより埋込み、付帯情報埋込み済み典型画像情報を形成する電子透かし埋込部と、
前記電子透かし埋込部により形成された付帯情報埋込み済み典型画像情報を出力する出力部又は送信側伝送部と
を備え、
さらに、前記電子透かし埋込部は、
前記典型画像ファイルに記憶された典型画像情報の画質に影響を与えずに埋め込むことができる付帯情報のデータ最大量を求める手段と、
前記付帯情報ファイルに記憶された付帯情報のデータ量を求める手段と、
データ最大量と付帯情報のデータ量とを比較する手段と、
前記比較する手段によりデータ最大量が付帯情報のデータ量以上と判断された場合、デジタル画像全体に付帯情報を電子透かしとして埋め込む手段と、
前記比較する手段によりデータ最大量が付帯情報のデータ量より小さいと判断された場合、中心部分には画質に影響を与えない程度の一部のデータ量の付帯情報を埋め込み、周辺部分に他のデータ量の付帯情報を埋め込む手段と
を備えた埋込側の表示較正装置。
【請求項２】
典型画像に関する付帯情報が電子透かしにより埋込まれた付帯情報埋込み済み典型画像ファイルを入力する入力部又は受信側伝送部と、
典型画像を表示する表示部と、
前記入力部又は前記受信側伝送部により入力された付帯情報埋込み済み典型画像ファイルから電子透かしを読み出して付帯情報を復元し、典型画像又は付帯情報を前記表示部に表示し、一方、該付帯情報が復元できない場合、その旨を通知するための電子透かし読出部と
を備え、
さらに、前記電子透かし読出部は、
入力された付帯情報埋込み済み典型画像情報の全体から電子透かしの読出し可能である場合、該画像情報全体から電子透かしを読み出して付帯情報を復元する第１の復元手段と、
前記第１の復元手段で読み出し不可能である場合、画像中心部分から電子透かしを読み出し中心付帯情報を復元する第２の復元手段と、
画像周辺部分から電子透かしを読み出し周辺付帯情報を復元する第３の復元手段と、
前記第２及び第３の復元手段により復元された中心及び周辺付帯情報を結合して全体の付帯情報を復元する第４の復元手段と
を備えた読出側の表示較正装置。
【請求項３】
請求項１に記載の埋込側の表示較正装置と、
請求項２に記載の読出側の表示較正装置と
を備え、
前記埋込側の表示較正装置の前記送信側伝送部は、付帯情報埋込み済み典型画像情報を送信し、前記読出側の表示較正装置の前記受信側伝送部は、該付帯情報埋込み済み典型画像情報を受信し、典型画像及び付帯情報を求めることを特徴とする表示較正装置。
【請求項４】
前記第２又は第３の復元手段で電子透かしが読み出し不可能である場合、その旨を前記表示部により通知することを特徴とする請求項２又は３に記載の表示較正装置。
【請求項５】
画像中心部分と画像周辺部分を特定するための情報を付帯情報又は他の情報として有することを特徴とする１乃至４のいずれかに記載の表示較正装置。
【請求項６】
ある状態を典型的に表した典型画像情報に、典型画像情報に関する付帯情報を電子透かしにより埋込み、付帯情報埋込み済み典型画像情報を形成する電子透かし埋込ステップと、
前記電子透かし埋込ステップにより形成された付帯情報埋込み済み典型画像情報を出力する出力ステップと、
を含み、
さらに、前記電子透かし埋込ステップは、
典型画像情報の画質に影響を与えずに埋め込むことができる付帯情報のデータ最大量を求めるステップと、
付帯情報のデータ量を求めるステップと、
データ最大量と付帯情報のデータ量とを比較するステップと、
前記比較するステップによりデータ最大量が付帯情報のデータ量以上と判断された場合、デジタル画像全体に付帯情報を電子透かしとして埋め込むステップと、
前記比較するステップによりデータ最大量が付帯情報のデータ量より小さいと判断された場合、中心部分には画質に影響を与えない程度の一部のデータ量の付帯情報を埋め込み、周辺部分に他のデータ量の付帯情報を埋め込むステップと
を備えた埋込側の表示較正方法。
【請求項７】
典型画像に関する付帯情報が電子透かしにより埋込まれた付帯情報埋込み済み典型画像ファイルを入力する入力ステップと、
典型画像を表示する表示ステップと、
前記入力ステップにより入力された付帯情報埋込み済み典型画像ファイルから電子透かしを読み出して付帯情報を復元し、典型画像又は付帯情報を表示し、一方、該付帯情報が復元できない場合、その旨を通知するための電子透かし読出ステップと
を含み、
さらに、前記電子透かし読出ステップは、
入力された付帯情報埋込み済み典型画像情報の全体から電子透かしの読出し可能である場合、該画像情報全体から電子透かしを読み出して付帯情報を復元する第１の復元ステップと、
前記第１の復元ステップで読み出し不可能である場合、画像中心部分から電子透かしを読み出し中心付帯情報を復元する第２の復元ステップと、
画像周辺部分から電子透かしを読み出し周辺付帯情報を復元する第３の復元ステップと、
前記第２及び第３の復元ステップにより復元された中心及び周辺付帯情報を結合して全体の付帯情報を復元する第４の復元ステップと
を備えた読出側の表示較正方法。
【請求項８】
請求項６に記載の埋込側の表示較正方法と、
請求項７に記載の読出側の表示較正方法と
を含み、
前記埋込側の表示較正方法の前記出力ステップにより、付帯情報埋込み済み典型画像情報を送信し、前記読出側の表示較正方法の前記入力ステップにより、該付帯情報埋込み済み典型画像情報を受信し、典型画像及び付帯情報を求めることを特徴とする表示較正方法。
【請求項９】
ある状態を典型的に表した典型画像情報に、典型画像情報に関する付帯情報を電子透かしにより埋込み、付帯情報埋込み済み典型画像情報を形成する電子透かし埋込ステップと、
前記電子透かし埋込ステップにより形成された付帯情報埋込み済み典型画像情報を出力する出力ステップと、
を含み、
さらに、前記電子透かし埋込ステップは、
典型画像情報の画質に影響を与えずに埋め込むことができる付帯情報のデータ最大量を求めるステップと、
付帯情報のデータ量を求めるステップと、
データ最大量と付帯情報のデータ量とを比較するステップと、
前記比較するステップによりデータ最大量が付帯情報のデータ量以上と判断された場合、デジタル画像全体に付帯情報を電子透かしとして埋め込むステップと、
前記比較するステップによりデータ最大量が付帯情報のデータ量より小さいと判断された場合、中心部分には画質に影響を与えない程度の一部のデータ量の付帯情報を埋め込み、周辺部分に他のデータ量の付帯情報を埋め込むステップと
を備えた埋込側の表示較正プログラムを記録したコンピュータ読み取り可能な記録媒体。
【請求項１０】
典型画像に関する付帯情報が電子透かしにより埋込まれた付帯情報埋込み済み典型画像ファイルを入力する入力ステップと、
典型画像を表示する表示ステップと、
前記入力ステップにより入力された付帯情報埋込み済み典型画像ファイルから電子透かしを読み出して付帯情報を復元し、典型画像又は付帯情報を表示し、一方、該付帯情報が復元できない場合、その旨を通知するための電子透かし読出ステップと
を含み、
さらに、前記電子透かし読出ステップは、
入力された付帯情報埋込み済み典型画像情報の全体から電子透かしの読出し可能である場合、該画像情報全体から電子透かしを読み出して付帯情報を復元する第１の復元ステップと、
前記第１の復元ステップで読み出し不可能である場合、画像中心部分から電子透かしを読み出し中心付帯情報を復元する第２の復元ステップと、
画像周辺部分から電子透かしを読み出し周辺付帯情報を復元する第３の復元ステップと、
前記第２及び第３の復元ステップにより復元された中心及び周辺付帯情報を結合して全体の付帯情報を復元する第４の復元ステップと
を備えた読出側の表示較正プログラムを記録したコンピュータ読み取り可能な記録媒体。
【請求項１１】
ある状態を典型的に表した典型画像情報に、典型画像情報に関する付帯情報を電子透かしにより埋込み、付帯情報埋込み済み典型画像情報を形成する電子透かし埋込ステップと、
前記電子透かし埋込ステップにより形成された付帯情報埋込み済み典型画像情報を出力する出力ステップと、
を含み、
さらに、前記電子透かし埋込ステップは、
典型画像情報の画質に影響を与えずに埋め込むことができる付帯情報のデータ最大量を求めるステップと、
付帯情報のデータ量を求めるステップと、
データ最大量と付帯情報のデータ量とを比較するステップと、
前記比較するステップによりデータ最大量が付帯情報のデータ量以上と判断された場合、デジタル画像全体に付帯情報を電子透かしとして埋め込むステップと、
前記比較するステップによりデータ最大量が付帯情報のデータ量より小さいと判断された場合、中心部分には画質に影響を与えない程度の一部のデータ量の付帯情報を埋め込み、周辺部分に他のデータ量の付帯情報を埋め込むステップと
を備えた埋込側の表示較正プログラム、
及び、
典型画像に関する付帯情報が電子透かしにより埋込まれた付帯情報埋込み済み典型画像ファイルを入力する入力ステップと、
典型画像を表示する表示ステップと、
前記入力ステップにより入力された付帯情報埋込み済み典型画像ファイルから電子透かしを読み出して付帯情報を復元し、典型画像又は付帯情報を表示し、一方、該付帯情報が復元できない場合、その旨を通知するための電子透かし読出ステップと
を含み、
さらに、前記電子透かし読出ステップは、
入力された付帯情報埋込み済み典型画像情報の全体から電子透かしの読出し可能である場合、該画像情報全体から電子透かしを読み出して付帯情報を復元する第１の復元ステップと、
前記第１の復元ステップで読み出し不可能である場合、画像中心部分から電子透かしを読み出し中心付帯情報を復元する第２の復元ステップと、
画像周辺部分から電子透かしを読み出し周辺付帯情報を復元する第３の復元ステップと、
前記第２及び第３の復元ステップにより復元された中心及び周辺付帯情報を結合して全体の付帯情報を復元する第４の復元ステップと
を備えた読出側の表示較正プログラム
を記録したコンピュータ読み取り可能な記録媒体。
【発明の詳細な説明】
【０００１】
【発明の属する技術分野】
本発明は、表示較正（校正）装置、表示較正方法及び表示較正プログラムを記録した記録媒体に係る。本発明は、特に、遠隔医療や電子カルテの表示端末の較正、各種医用機器の画像表示装置の較正、デジタルテレビの較正を行うための表示較正装置、表示較正方法及び表示較正プログラムを記録した記録媒体に関する。
【０００２】
【従来の技術】
一般に、医用画像をデジタル化することによって、保存や検索が著しく簡素化され、また保存や転送による劣化が回避されるという大きなメリットが得られる。一方、このようなデジタル化された医用画像を表示する際に用いられる汎用機器には、液晶パネル、プラズマディスプレイ、ヘッドマウントディスプレイ、液晶プロジェクター等、全く発色原理の異なる装置が含まれる。そこでこれらの異なった機器を用いても、網膜の特性や照明の影響を加味し、網膜レベルで同じ信号が視神経に送られるように表示画像を調整する、いわゆるカラーマネージメントの技術が開発されつつある。
【０００３】
【発明が解決しようとする課題】
しかしながら、デジタル画像は、原画像あるいはスライドフィルムなどの従来のメディアに記録されたアナログ画像と比較し、情報の一部が不可避的に失われるため、診断精度の劣化を招く場合があるかもしれない。また、各種表示機器は、表示できる色の範囲が大きく異なるため、表示される色を機器間で原理的に完全に一致させることはむずかしい。さらに、現時点では色順応や視覚認知等の高度な視覚機能は考慮されておらず、その対策は、十分とは言えない。加えて、現状では表示装置の性能が標準化されておらず、機種ごとに画像の再現性が異なるために、ある機種で診断精度が保証されたとしても、別の機種では正しく診断できるとは限らない。現に発明者らがこれまでに行った医用画像の表示実験では、表示装置の機種間差があり得る場合が示された。
【０００４】
したがって、現状では、デジタル医用画像を汎用の機器で表示させた場合、診断精度を保証する手段が十分でないため、今後普及が見込まれている遠隔医療や電子カルテの受け皿となる、インターネット等の社会情報基盤の医療応用に重大な影響を与える可能性があり得ると考えられる。
【０００５】
そこで、このような課題に対する現実的な対策として、遭遇する頻度の高い疾患は種類が少ないこと、また、判断の難しい症例は遭遇する頻度が低いこと、等という医療の経験則に基づき、複数の専門家が頻度の高い疾患について典型画像を定め、それを各表示機器を用いて同じ診断が得られるかどうかを確認する方法をとれば、大部分の医療用途で実用上必要な診断精度をより一層保証することができる。この作業を効率化し、時と場所を選ばず実施できるようにするためには、典型画像および診断名などの付帯情報をデータファイルの形でサーバに格納し、インターネットを介して誰でも引き出せるようにしたうえ、ファイルの改ざんや贋作を防ぐために、例えば、次の３条件を満たすようなシステムが必要となる。
(1) ファイルの真正な発行者が確認できること。
(2) ファイルが改変されていないことが確認できること。
(3) 画像と付帯情報が正しく組み合わされ分離できないこと。
【０００６】
これら３つの条件を同時に実現するシステムは、現在存在しない。また、電子透かし技術は改ざん防止等の機能を有するが、従来の技術では、診断名、認定者名、認定の日時・場所、認定に用いた機種・設定条件および照明条件などの画像に付帯すべき情報に比して埋め込める情報量が少なすぎる。
【０００７】
本発明は、以上の点に鑑み、医用画像に特化した電子透かし技術を用いることにより、これらの３条件を同時に満たすシステムを実現することを目的とする。また、本発明は、上述の３条件を同時に満たすとともに、電子透かしを医用画像の診断に重要な中心部分に薄く、重要でない周辺部分に濃く埋め込むことにより、従来よりもはるかに多くの文字情報を埋め込めるようにし、典型画像と付帯情報を不可分の状態にして配付することを目的とする。
【０００８】
なお、本発明において、電子透かしとは画像に実質的に影響を与えないように情報を画像に埋め込む技術を広く含むものとする。
【０００９】
【課題を解決するための手段】
本発明の第１の解決手段によると、
ある状態を典型的に表した典型画像情報を記憶した典型画像ファイルと、
前記典型画像ファイルに記憶された典型画像情報に関する付帯情報を記憶した付帯情報ファイルと、
前記典型画像ファイルの典型画像情報に前記付帯情報ファイルの付帯情報を電子透かしにより埋込み、付帯情報埋込み済み典型画像情報を形成する電子透かし埋込部と、
前記電子透かし埋込部により形成された付帯情報埋込み済み典型画像情報を出力する出力部又は送信側伝送部と
を備えた送信側の表示較正装置を提供する。
【００１０】
本発明の第２の解決手段によると、
典型画像に関する付帯情報が電子透かしにより埋込まれた付帯情報埋込み済み典型画像ファイルを入力する入力部又は受信側伝送部と、
典型画像を表示する表示部と、
前記入力部又は前記受信側伝送部により入力された付帯情報埋込み済み典型画像ファイルから電子透かしを読み出して付帯情報を復元し、典型画像又は付帯情報を前記表示部に表示し、一方、該付帯情報が復元できない場合、その旨を通知するための電子透かし読出部と
を備えた受信側の表示較正装置を提供する。
【００１１】
本発明の第３の解決手段によると、
請求項１に記載の送信側の表示較正装置と、
請求項２に記載の受信側の表示較正装置と
を備え、
前記送信側の表示較正装置の前記送信側伝送部は、付帯情報埋込み済み典型画像情報を送信し、前記受信側の表示較正装置の前記受信側伝送部は、該付帯情報埋込み済み典型画像情報を受信し、典型画像及び付帯情報を求めることを特徴とする表示較正装置を提供する。
【００１２】
本発明の第４の解決手段によると、
ある状態を典型的に表した典型画像情報に、典型画像情報に関する付帯情報を電子透かしにより埋込み、付帯情報埋込み済み典型画像情報を形成する電子透かし埋込ステップと、
前記電子透かし埋込ステップにより形成された付帯情報埋込み済み典型画像情報を出力する出力ステップと、
を備えた送信側の表示較正方法及び表示較正プログラムを記録した記録媒体を提供する。
【００１３】
本発明の第５の解決手段によると、
典型画像に関する付帯情報が電子透かしにより埋込まれた付帯情報埋込み済み典型画像ファイルを入力する入力ステップと、
典型画像を表示する表示ステップと、
前記入力ステップにより入力された付帯情報埋込み済み典型画像ファイルから電子透かしを読み出して付帯情報を復元し、典型画像又は付帯情報を表示し、一方、該付帯情報が復元できない場合、その旨を通知するための電子透かし読出ステップと
を備えた受信側の表示較正方法及び表示較正プログラムを記録した記録媒体を提供する。
【００１４】
【発明の実施の形態】
図１に、本発明に係るホスト側表示較正装置の構成図を示す。このホスト側表示較正装置１００は、処理部１０１、記憶部１０２、表示部１０３、入力部１０４、出力部１０５、送信側伝送部１０６、内部接続部１０７を備える。
【００１５】
処理部１０１は、電子透かし埋込部１１１を備える。記憶部１０２は、典型画像ファイル１２１、付帯情報ファイル１２２、付帯情報埋込み済み典型画像ファイル１２３を有する。典型画像ファイル１２１には、ある疾患・症状・症例等についての典型的な画像情報が記憶される。この典型画像を、ひとつの疾患に対してひとつ又は複数用意しても良いし、また、複数の疾患についてひとつ又は複数用意しても良い。さらに、症状又は部位別に階層的に用意したり、病名、症状、部位等の各キーワード毎に適宜備えるようにしても良い。付帯情報ファイル１２２は、その典型画像についての付帯情報が記憶される。付帯情報としては、例えば、診断名、認定者名、認定の日時・場所、認定に用いた機種、設定条件、照明条件等が適宜の情報を含む。付帯情報埋込み済み典型画像ファイル１２３には、典型画像に付帯情報が電子透かし等により挿入・埋め込まれた画像情報が記憶される。さらに、記憶部１０２は、表示部１０３の表示装置に関する情報等の各種情報や、各種処理プログラムを記憶することもできる。
【００１６】
表示部１０３は、液晶ディスプレイ、プラズマディスプレイ、ＣＲＴ等の適宜の表示装置を備え、また、改ざんされた場合等にそれを表示するための適宜の表示器を有することもできる。入力部１０４は、各種ファイルを入力する装置、及び、キーボードやポインティングデバイス等の適宜の入力デバイスを有する。出力部１０５は、DVD、CD-R、CD-ROM、MO、FD等各種記録媒体の駆動装置を有する。送信側伝送部１０６は、例えばサーバ装置であり、各種ネットワーク３００と信号を送受する。内部接続部１０７は、これら各構成部を相互に接続する。
【００１７】
ネットワーク３００としては、電話網、専用回線網、ＩＳＤＮ網、インターネット網等適宜の有線ネットワーク、又は、移動体通信網、マイクロ波通信網、赤外線通信網等の適宜の無線ネットワークを用いることができる。
【００１８】
図２に、本発明に係るクライアント側表示較正装置の構成図を示す。このクライアント側表示較正装置２００は、処理部２０１、記憶部２０２、表示部２０３、入力部２０４、出力部２０５、受信側伝送部２０６、内部接続部２０７を備える。
【００１９】
処理部２０１は、電子透かし読出部２１１を備える。記憶部２０２は、付帯情報ファイル２２２、付帯情報埋込み済み典型画像ファイル２２３を有する。さらに、記憶部２０２は、表示部２０３の表示装置に関する情報等の各種情報や、各種処理プログラムを記憶することもできる。表示部２０３、入力部２０４及び出力部２０５の構成は、ホスト側と同様である。受信側伝送部２０６は、電話網、インターネット網、移動体通信網等の各種ネットワーク３００と接続されて、信号を送受する。内部接続部２０７は、これら各構成部を相互に接続する。
【００２０】
つぎに、図３に、本発明に係る表示較正装置及び方法の動作についての説明図を示す。この図では、ホスト側表示較正装置１００とクライアント側表示較正装置２００とに分けて説明する。
【００２１】
ホスト側表示較正装置１００では、電子透かし埋込部１１１は、ある症例等に応じて典型画像ファイル１２１及び付帯情報ファイル１２２を読み取り、典型画像情報に付帯情報を電子透かしにより埋込み、付帯情報埋込み済み典型画像ファイル１２３を形成する。処理部１０１は、送信側伝送部１０６により、付帯情報埋込み済み典型画像ファイル１２３をネットワーク３００に出力する。
【００２２】
一方、クライアント側表示較正装置２００では、受信側伝送部２０６は、ネットワーク３００から付帯情報埋込み済み典型画像ファイル２２３を入力する。電子透かし読出部２１１は、付帯情報埋込み済み典型画像ファイル２２３から電子透かしを読み出して、付帯情報を復元し、典型画像を表示部２０３に表示する。また、復元された付帯情報を、例えば、入力部２０４からの操作により又は自動的に表示部２０３に表示することもできる。一方、付帯情報が復元できない場合、改ざんされた、不正があった又は何らかのエラーが発生した等により正常な典型画像が受信できなかったものとみなし、表示部２０３にその旨を表示する又は典型画像を表示しない等により操作者に通知する。
【００２３】
図４に、電子透かし埋込部の処理のフローチャートを示す。
まず、電子透かし埋込部１１１は、処理が開始され、典型画像ファイル１２１を読み出すと、典型画像の画質に影響を与えずに電子透かしとして付帯情報を埋め込む際のデータ最大量を求める（ステップＳ４０１）。ここで、このデータ最大量をＤmaxとする。データ最大量を求める方法としては、例えば、画像の大きさ、画像の部位・症状等により、対応するデータ最大量を予め記憶しておき、操作者が適宜のデータを入力することにより求める方法、画像の大きさ等により自動的にデータ最大量を求める方法など、適宜の方法を採用することができる。つぎに、電子透かし埋込部１１１は、付帯情報ファイル１２２に基づき、付帯情報のデータ量ｄを求める（ステップＳ４０３）。ここで、データ最大量Ｄmaxと付帯情報のデータ量ｄとを比較する（ステップＳ４０５）。
【００２４】
比較の結果、Ｄmax が d 以上であれば、付帯情報のデータ量ｄが少ないので画質に影響を与えないから、デジタル画像全体に付帯情報を電子透かしとして埋め込む（ステップＳ４１５）。一方、比較の結果、Ｄmax が d より小さければ、まず、デジタル画像を診断に重要な中心部分と重要でない周辺部分とに分ける（ステップＳ４０７）。この分け方は、画像の大きさ、症例・部位等に応じて予め決められた範囲や割合を用いてもよいし、操作者が表示画像を確認しながら領域を指定しても良い。その際、中心と周辺とに限らず、重要な部分とそれ程重要でない部分とを適宜指定することもできる。そのような指定は、例えば、入力部１０４のポインティングデバイス等で範囲や形状を指定することにより実現することができる。
【００２５】
つぎに、画質に影響を与えずに画像中心部分に埋め込める電子透かしのデータの最大量Ｄc maxを求める（ステップＳ４０９）。そして、付帯情報のうちＤc maxの量のデータは、画像中心部分に埋め込んでも影響を与えないので、その量を画像中心部分に電子透かしとして埋め込む（ステップＳ４１１）。さらに、付帯情報のうち残りの(ｄ−Ｄc max)の量のデータを、画像周辺部分は診断にそれ程影響しない部分であるので、画質を考慮せずに画像周辺部分に電子透かしとして残りの付帯情報を全て埋め込む（ステップＳ４１３）。
【００２６】
なお、画像中心部分と画像周辺部分に分けて付帯情報を埋め込んだ場合、中心部分と周辺部分を特定するための情報も付帯情報又は他の情報として画像に埋め込む又は記録することができる。また、画像の大きさや形状等により、特定の情報を埋め込むことなしに中心部分と周辺部分を識別できるようにしてもよい。
【００２７】
つぎに、図５に、電子透かし読出部の処理のフローチャートを示す。
まず、電子透かし読出部２１１は、処理が開始されると、受信側伝送部２０６から付帯情報埋込済み典型ファイル２２３を入力する。電子透かし読出部２１１は、電子透かしを埋込み済みの画像ファイル２２３全体から電子透かしの読出しを試みる（ステップＳ５０１）。ここで、電子透かしが読出し可能であるか否か判断し（ステップＳ５０３）、読み出し可能な場合は、デジタル画像全体から電子透かしを読み出して付帯情報を復元して終了する（ステップＳ５０５）。一方、ステップＳ５０３で読み出し不可能の場合、デジタル画像を中心部分と周辺部分とに分け（ステップＳ５０７）、画像中心部分から電子透かしの読み出しを試みる（ステップＳ５０９）。なお、読み出された中心付帯情報をｄcとする。
【００２８】
なお、中心部分と周辺部分を特定するために、画像に埋込み又は記録された付帯情報又はその他の情報を用いることができる。また、画像の大きさや形状等により、埋込又は記録された特定の情報なしでこれらを識別しても良い。
【００２９】
このとき、画像中心部分の電子透かしが読出し可能か否か判断し（ステップＳ５１１）、読み出し不可能である場合、改ざんされた等の原因のために透かしが読み出せないことを表示する、又は、表示しないで通知する（ステップＳ５１３）。一方、ステップＳ５１１で、電子透かしの読み出し可能であれば、つぎに、画像周辺部分から電子透かしを読み出す（ステップＳ５１５）。なお、読み出された周辺付帯情報をｄpとする。
【００３０】
さらに、電子透かしが読出し可能か否か判断し（ステップＳ５１７）、読み出し不可能である場合、改ざんされた等の原因のために透かしが読み出せないことを表示する、又は、表示しないで通知する（ステップＳ５１３）。一方、ステップＳ５１７で、電子透かしが読み出し可能であれば、つぎに、中心付帯情報ｄcと周辺付帯情報ｄpとを結合して、全体の付帯情報を復元する（ステップＳ５１９）。
【００３１】
以上の説明は、本発明を医用画像表示端末の較正システムとして実施した例であるが、本発明は典型画像を入れ替えることにより、服飾、美容、食品、映画などの画像表示装置の較正システムとしても利用が可能である。また、ネットワークによりデジタル画像情報を送受する変わりに、適宜の記録媒体を用いて入力部及び出力部によりデジタル画像を入出力するようにしても良い。
【００３２】
また、本発明に係る表示較正処理は表示較正プログラムにより実現され、該プログラムは記録媒体により提供されることができる。
【００３３】
【発明の効果】
本発明は、医用画像の表示装置を較正に用いられる典型画像と付帯情報とをネットワークで配付するシステムにとって必要な、先に述べた３条件を同時に満たすことができるという顕著な効果を奏する。具体的には、例えば、
（１）ファイルを入手すれば、誰でも自分が使っている表示装置の診断精度を、機器固有の物理特性、調節、経時変化、照明などの要因を包含した形で、自己の責任において手元で確かめ、あるいは表示装置を較正することができる。
（２）入手したファイルを見れば、誰でもそれを作成した組織あるいは人物を確認でき、付帯する診断情報の信頼性を判断できる。
（３）入手したファイルを見れば、誰でも改ざんの有無を判定できる。
【図面の簡単な説明】
【図１】本発明に係るホスト側表示較正装置の構成図
【図２】本発明に係るクライアント側表示較正装置の構成図
【図３】本発明に係る表示較正装置及び方法の動作についての説明図
【図４】電子透かし埋込部の処理のフローチャート
【図５】電子透かし読出部の処理のフローチャート
【符号の説明】
１００    ホスト側表示較正装置
２００    クライアント側表示較正装置
１０１、２０１    処理部
１０２、２０２    記憶部
１０３、２０３    表示部
１０４、２０４    入力部
１０５、２０５    出力部
１０６    送信側伝送部
２０６    受信側伝送部
１０７、２０７    内部接続部
１１１    電子透かし埋込部
２１１    電子透かし読出部
【図１】
0003677177.tif 000002
【図２】
0003677177.tif 000003
【図３】
0003677177.tif 000004
【図４】
0003677177.tif 000005
【図５】
0003677177.tif 000006